【手続補正書】
【提出日】平成19年10月26日(2007.10.26)
【手続補正１】
【補正対象書類名】特許請求の範囲
【補正対象項目名】全文
【補正方法】変更
【補正の内容】
【特許請求の範囲】
【請求項１】
それぞれが、入出力インターフェースと、ＣＰＵと、アプリケーションプログラムを記憶したメモリとを有する複数のアプリケーションサーバと、
入出力インターフェースと、ＣＰＵと、上記複数のアプリケーションサーバにそれぞれ対応した複数のアプリケーションクライアントプログラムを記憶したメモリとを有する端末と、
入出力インターフェースと、ＣＰＵと、上記端末のプレゼンス情報を記憶したメモリとを有するプレゼンスサーバを備え、
上記プレゼンスサーバは、上記複数のアプリケーションのうちの一のアプリケーションに関する上記端末のプレゼンス情報登録を上記端末から受けた場合に、該一のアプリケーションと同一のグループに属する少なくとも一つの他のアプリケーションに関する上記端末のプレゼンス情報を上記一のアプリケーションと同期させることを特徴とするプレゼンス統合管理システム。
【請求項２】
上記同一のグループに属する複数のアプリケーションは、同時に使用することができない複数のアプリケーションであることを特徴とする請求項１記載のプレゼンス統合管理システム。
【請求項３】
請求項１記載のプレゼンス統合管理システムであって、
上記プレゼンスサーバのメモリには、
上記複数のアプリケーションのそれぞれの種別を示すアプリケーション識別子、および上記複数のアプリケーションのグループを示すグループ識別子を記憶したアプリケーション種別テーブルと、
各アプリケーションに関するプレゼンス情報を記憶したプレゼンス情報テーブルとが記憶されていることを特徴とするプレゼンス統合管理システム。
【請求項４】
請求項１記載のプレゼンス統合管理システムであって、
上記一のアプリケーションに関する上記端末のプレゼンス情報が「使用中」である場合、同一グループに属する上記他のアプリケーションに関する上記端末のプレゼンス情報を「競合中」に更新することを特徴とするプレゼンス統合管理システム。
【請求項５】
請求項１記載のプレゼンス統合管理システムであって、
上記一のアプリケーションに関する上記端末のプレゼンス情報が「使用可能」である場合、同一グループに属する上記他のアプリケーションに関する上記端末のプレゼンス情報を「使用可能」に更新するプレゼンス統合管理システム。
【請求項６】
請求項１記載のプレゼンス統合管理システムであって、
上記端末からのプレゼンス情報登録の際に、上記一のアプリケーションの識別子を上記端末から上記プレゼンスサーバに送信することを特徴とするプレゼンス統合管理システム。
【請求項７】
請求項１記載のプレゼンス統合管理システムであって、
プレゼンスサーバから他の端末または他のサーバにプレゼンス情報を通知する際に、アプリケーションの識別子を上記プレゼンスサーバから上記他の端末または他のサーバに送信することを特徴とするプレゼンス統合管理システム。
【請求項８】
請求項１記載のプレゼンス統合管理システムであって、
上記プレゼンスサーバが上記端末のプレゼンス情報を同期させる代りに、
上記端末のメモリが、プレゼンス統合クライアントを有し、
上記一のアプリケーションに関するプレゼンス情報を登録する際に、上記プレゼンス統合クライアントが上記一のアプリケーションと同一のグループに属するアプリケーションに関するプレゼンス情報も同期をとって上記プレゼンスサーバに登録することを特徴とするプレゼンス統合管理システム。
【請求項９】
端末及び複数のアプリケーションサーバと接続され、
入出力インターフェースと、
ＣＰＵと、
上記端末のプレゼンス情報を記憶したメモリとを有するプレゼンスサーバであって、
上記複数のアプリケーションのうちの一のアプリケーションに関する上記端末のプレゼンス情報登録を上記端末から受けた場合に、該一のアプリケーションと同一のグループに属する少なくとも一つの他のアプリケーションに関する上記端末のプレゼンス情報を上記一のアプリケーションと同期させることを特徴とするプレゼンスサーバ。
【請求項１０】
上記同一のグループに属する複数のアプリケーションは、同時に使用することができない複数のアプリケーションであることを特徴とする請求項９記載のプレゼンスサーバ。
【手続補正２】
【補正対象書類名】明細書
【補正対象項目名】発明の名称
【補正方法】変更
【補正の内容】
【発明の名称】プレゼンス統合管理システム及びプレゼンスサーバ
【手続補正３】
【補正対象書類名】明細書
【補正対象項目名】００３０
【補正方法】変更
【補正の内容】
【００３０】
プレゼンス情報通知要求機能、グループ登録機能を実現するための、プレゼンスクライアント１−ＰＣのフローチャートを図２２に示す。プレゼンスクライアント１−ＰＣは起動時に処理を開始（ＰＣＣ−００１）し、イベント処理ループ（ＰＣＣ−００４）に入る。イベントとは、ネットワークを介したメッセージ受信や、キー押下などによるユーザ操作を指す。ユーザがプレゼンス情報通知要求ボタンを押下した場合（ＰＣＣ−００７）、プレゼンスクライアント１−ＰＣはプレゼンス情報通知要求メッセージを、プレゼンスサーバ３、プレゼンス統合クライアント１−Ｐのいずれかに送信する（ＰＣＣ−０１０）。送信先はシステム構成に依存する。ユーザがグループ登録ボタンを押下した場合（ＰＣＣ−０１３）、プレゼンスクライアントはグループ登録メッセージを、プレゼンスサーバ３、プレゼンス統合クライアント１−Ｐのいずれかに送信する（ＰＣＣ−０１６）。イベント処理ループはプレゼンスクライアント１−ＰＣの終了時に同時に終了（ＰＣＣ−０１９）し、プレゼンスクライアント１−ＰＣは終了する（ＰＣＣ−０２２）。なお、プレゼンスクライアント１−ＰＣとプレゼンス統合クライアント１−Ｐは、一つのアプリケーションとして実装することもできる。
尚、本願発明は下記の解決手段によっても実現できる。
（解決手段１）
端末及び複数のアプリケーションサーバと接続され、入出力インターフェースと、ＣＰＵと、上記端末のプレゼンス情報を記憶したメモリとを有するプレゼンスサーバであって、上記複数のアプリケーションのうちの一のアプリケーションに関する上記端末のプレゼンス情報登録を上記端末から受けた場合に、該一のアプリケーションと同一のグループに属する少なくとも一つの他のアプリケーションに関する上記端末のプレゼンス情報を上記一のアプリケーションと同期させることを特徴とするプレゼンスサーバ。
（解決手段２）
解決手段１記載のプレゼンスサーバであって、上記メモリには、上記複数のアプリケーションのそれぞれの種別を示すアプリケーション識別子、および上記複数のアプリケーションのグループを示すグループ識別子を記憶したアプリケーション種別テーブルと、各アプリケーションに関するプレゼンス情報を記憶したプレゼンス情報テーブルとが記憶されていることを特徴とするプレゼンスサーバ。
（解決手段３）
解決手段１記載のプレゼンスサーバであって、上記一のアプリケーションに関する上記端末のプレゼンス情報が「使用中」である場合、同一グループに属する上記他のアプリケーションに関する上記端末のプレゼンス情報を「競合中」に更新することを特徴とするプレゼンスサーバ。
（解決手段４）
解決手段１記載のプレゼンスサーバであって、上記一のアプリケーションに関する上記端末のプレゼンス情報が「使用可能」である場合、同一グループに属する上記他のアプリケーションに関する上記端末のプレゼンス情報を「使用可能」に更新するプレゼンスサーバ。
（解決手段５）
解決手段１記載のプレゼンスサーバであって、上記端末からのプレゼンス情報登録の際に、上記一のアプリケーションの識別子を上記端末から受信することを特徴とするプレゼンスサーバ。
（解決手段６）
解決手段１記載のプレゼンスサーバであって、他の端末または他のサーバにプレゼンス情報を通知する際に、アプリケーションの識別子を上記他の端末または他のサーバに送信することを特徴とするプレゼンスサーバ。
（解決手段７）
端末及び複数のアプリケーションサーバと接続され、上記端末のプレゼンス情報を記憶したメモリを有するプレゼンスサーバで実行可能なプレゼンス情報管理プログラムであって、上記複数のアプリケーションのうちの一のアプリケーションに関する上記端末のプレゼンス情報登録を上記端末から受信するステップと、該一のアプリケーションと同一のグループに属する少なくとも一つの他のアプリケーションに関する上記端末のプレゼンス情報を上記一のアプリケーションと同期させるステップとを有するプレゼンス情報管理方法を上記プレゼンスサーバで実行可能なプレゼンス情報管理プログラム。